(57)【要約】【課題】タグの取り付けや取り外しの際に製品を傷つけにくく、タグを取り外した後に異物や異物感が残りにくい取り付け構造を設けた衣類を提供する。【解決手段】裁断端にほつれ止め機能を有する生地を少なくとも１種類以上含む衣類であって、裁断端にほつれ止め機能を有する生地からなる部分にタグ取り付け部分であるタブが形成されており、着用時には、前記タブを衣類から切断することにより、タグを取り除くことが可能な構造となっている。【選択図】図３
0003234390.tif 000002
【実用新案登録請求の範囲】
【請求項１】
裁断端に後始末不要なほつれ防止機能を有する生地を少なくとも１種類以上含む衣類であって、前記ほつれ防止機能を有する生地の端部にタグ取り付け部が構成されており、タグ取り付け部を衣類から切断することにより、同時にタグを取り除くことが可能な構造である衣類。
【請求項２】
請求項１において、タグ取り付け部に直接、タグの情報が印字されていることを特徴とする請求項１に記載の衣類。
【請求項３】
請求項１において、タグ取り付け部を切断するのではなく、折り返して身生地に接着して、タグ取り付け部を、隠す構造を特徴とする請求項１に記載の衣類。
【考案の詳細な説明】
【技術分野】
【０００１】  本考案は、ショーツなどの衣類の販売時に使用される、価格、素材、原産国などが記載されるタグの取り付け構造に関するものである。
【背景技術】
【０００２】  現在、衣類は店舗で一般的に販売されており、販売時には衣類にタグが付けられている。タグには価格の記載の他、素材や原産国などの記載があり、衣類のデザインやタグからの情報により、多くの製品の中から、購入者がより高い満足度が得られると判断した商品を購入できる商品販売の仕組みが知られている。【０００３】  タグは、一般的に、販売時に購入者の目に付きやすいよう、ある程度の大きさの紙を使用しているものが多い。また、タグを衣類製品に取り付ける方法としては、糸を使用した縫製によるものやプラスチックの紐を使用したもの、糊などの接着剤を使用する方法などが知られている。購入後は、タグは衣類の着用時に不要となるため購入者によって取り除かれる。そのため、タグはタグの取り付けや取り外しの際には容易に行うことが可能で、製品に傷や汚れがつかず、タグの取り付け部分の出っ張りや段差が小さく着心地を損なわない、製品の機能に与える影響が少ない構造であることが好ましい。【０００４】  上記の観点と関連のある先行文献が公知となっており、タグ取り付けのプラスチックの紐に切り込みや穴を設け、取り外しを容易にする方法（特許文献１）、タグ縫い付けの糸が水溶性繊維から作られており、洗濯時に糸が取り除かれるため、タグの取り外しの際に製品を傷つけない方法（特許文献２）、タグの取り付け部分の材料がポリ塩化ビニルで構成されており、ポリ塩化ビニルの強度が高くないため素手での取り外しが可能である方法（特許文献３）、等が提案されている。
【先行技術文献】
【特許文献】
【０００５】
【特許文献１】実開平０６−１５０７９号公報
【特許文献２】特開２０１１−２３７５００号公報
【特許文献３】特開２００２−１４９０７２号公報
【考案の概要】
【考案が解決しようとする課題】
【０００６】  しかし、先行文献２や先行文献３の方法では、取り外しの方法は力で引っ張る方法であるため製品にも力が掛かってしまい、その結果、製品が伸び、外観に影響を与えることになる。同時にこの方法では、タグの取り付け部分を完全には取り除いておらず、残りの部分をハサミなどを使用して取り除くか、あるいは、そのまま放置することになる。ハサミを使用して残りの糸や紐を取り除く際には、残りの部分が小さくなっており切りにくく、誤って製品にも傷をつけてしまう可能性があり、またそのまま放置する場合には、その部分が段差や異物のようになり着用時の着心地に影響を与えることになる。また、いずれの先行文献の方法でも、製品へ直接タグやタグの取り付け部分を取り付けており、取り付けの際には、製品本体に糸や紐を通すための製品の機能とは関係がない貫通穴が構成されることになり、着用時、外観に傷や汚れ、異物がついているように見える問題がある。【０００７】  本考案は、上記の観点から、タグの取り付けや取り外しの際に製品を傷つけにくく、タグを取り外した後に異物や異物感が残りにくい取り付け構造を設けた衣類の提案を目的とする。
【課題を解決するための手段】
【０００８】  上記目的の達成のため、本考案の衣類は、裁断端にほつれ止め機能を有する生地を少なくとも１種類以上含む衣類であって、裁断端にほつれ止め機能を有する生地の端部にタグ取り付け部であるタブが形成されており、着用時には、前記タブを衣類から切断することにより、タグを取り除くことが可能な構造であることを特徴としている。【０００９】  また、上記のタグ取り付け部分は貫通穴や切り込みを設けた構成としても良いし、穴や切り込みを入れずに、直接、タグの情報を印字してもよい。また、タブの表面、あるいは、タブの付け根の身生地側にホットメルト等の接着剤を仮付けしておき、着用時には、タブを見生地側へ折り返して、アイロンで接着するようにしても良い。
【考案の効果】
【００１０】  本考案の衣類は、上記の裁断端にほつれ止め機能を有する生地の部分の生地端にタブを設け、そのタブにタグを取り付けたり、直接タブ上に情報を印字したりしている。前記タブは、着用時の製品のデザインから一部を突出させるなどの方法で設けられ、着用時の製品のデザインには含まれないように構成される。タグを取り除く際には、鋏などでタブの根本を切断することにより、タブと同時にタグが取り除かれる。あるいは、タブの片面に、ホットメルト接着剤等が、仮付けされており、身生地とタブの境界で、タブを見生地側へ折り返して、アイロンなどで接着させてもよい。【００１１】  現在販売されている一般的な商品では、タグ取りつけ部分が糸やピンなどの別素材で取り付けられている場合が多く、タグ取りつけ部分の取り外し時には、糸や紐を通した部分に傷や汚れが発生したり、別素材の切れ端が異物として残りやすい。しかし、本考案の衣類では、タグ取りつけ部分であるタブを切り取ると同時にタグも除去されるため、製品自体に傷や汚れや異物残りが発生しにくい構造となっている。また、生地は、一般的には裁断すると裁断端の部分の糸はほつれる構造となっているが、特殊な加工を行うことで裁断端にほつれ止め機能を有する生地が知られており、本考案による衣類は、裁断端にほつれ止め機能を有する生地を少なくとも１種類以上使用し、そのほつれ防止機能のある生地部にタブが構成されている。そのため、本考案による衣類では、タグを取り外すためにタブを切断しても、切断面にほつれ止め機能があるため、製品端にほつれが発生せず着用時の外観にも影響を与えない。また、タブを切断しても、タブは着用時の製品のデザインには含まれないように構成しているため、切断後製品のデザインが崩れることもない。
【図面の簡単な説明】
【００１２】
【図１】本考案による実施例１のタグの取り付け構造を設けている衣類の正面図。
【図２】本考案による実施例１のタグの取り付け構造を設けた衣類の展開図。
【図３】本考案による実施例１のタグを取り付けた衣類の正面図。
【図４】本考案によるタブの切除方法を示した図。
【図５】本考案による実施例２のタグの取り付け構造を設けている衣類の正面図。
【図６】本考案による実施例２のタグの取り付け構造を設けた衣類の展開図。
【図７】本考案による実施例２のタグを取り付けた衣類の正面図。
【図８】本考案による実施例３のタグ情報を直接タブに印字した衣類の正面図。
【図９】本考案による実施例３の衣類の展開図
【図１０】本考案による実施例４のタグの取り付け構造を設けている衣類の展開図。
【図１１】本考案による実施例４のタグの取り付け構造を設けている衣類のウエスト部正面図。
【図１２】本考案による実施例４のタグの取り付け構造を肌側へ折り返した後の衣類のウエスト部正面図。
【考案を実施するための形態】
【実施例】
【００１３】  図１から図４は本考案の実施例１となる女性用の無縫製ショーツを図示したものである。図１は、本考案によるタグの取り付け構造を設けた衣類の正面図である。図２は、前記ショーツの展開図となっている。本実施例のショーツ１は身生地２と股あて布３から構成されており、身生地２は、前身頃部４と後身頃部５とタグ９を取り付けるタブ６から構成されている。本実施例のショーツ１には、タブ６が後身頃５の前身頃４と接着される端面７の一部を突出させて構成されている。また突出部のタブ６には、貫通穴８が構成されている。【００１４】  本考案のショーツ１の作成方法について説明する。生地を裁断して、身生地２と股あて布３を作成する。本考案のショーツの身生地２は、裁断端にほつれ止め機能を有する生地を使用している。そのため、腰や脚通し部分にほつれ止め加工を行う必要はない。まず身生地の裁断を行い、その際に後身頃５の前身頃４と接着される端面７の一部を突出するように裁断を行うことで、タグ９の取り付け部となるタブ６を身生地２の裁断と同時に作成している。また、タブ６には貫通穴８が設けられており、貫通穴８も上記の身生地２の裁断と同時に作成している。次に、身生地２に股あて布３の接着を行い、その後、前身頃部４の左右端１０、１０‘と後身頃部の左右端７、７’をそれぞれ接着することにより本考案のショーツが完成する。このとき、後身頃の左右端７，７‘が前身頃左右端１０．１０’の上に重なるように、接着されている。【００１５】  本考案のショーツ１にタグ９を取り付ける際には、タブ６の貫通穴８に紐や糸を通してタグ９を取り付けることが可能であり、タグ９を取り除く際には、上記のタブ６の部分をハサミなどで切断することで、タグ９とタブ６がショーツ１から取り除かれる。切断の際は、タブ６は後身頃５の端７に構成されているため、図４の様に、前身頃部を折り返して、後身頃の端のラインに沿って切断を行うと、ハサミの取り扱いも容易であり、切断時に誤って衣類を傷つけにくい。【００１６】  本実施例ではタブ６が、表側に出てきているが、後身頃５と前身頃４の重なり方を変えて、タブ６が肌側にくるようにしてもよい。この場合、タグ９を取り付ける紐は長めにして、ショーツ１内側から引っ張り出してくるようになる。また、タブ６の位置を、前身頃１０、１０‘側に設けてもよい。【００１７】  図５から図７は本考案の実施例２となる女性用の無縫製ショーツを図示したものである。図５は実施例２のショーツ１ａの完成正面図である。実施例１との違いは、タブ６ａに貫通穴８が形成されていないところである。貫通穴８がないため、タグ９ａの取り付けは縫製にて行う。図６は、ショーツ１ａの展開図であり、タブ６ａは、長方形の形で、後身頃の端７ａの一部に形成されている。  製造方法は実施例１と同じである。図７は、本実施例のショーツ１ａにタグ９ａを取り付けた状態である。タブ６ａの上にタグ９ａの端をのせ、縫製にてタグ９ａとタブ６ａを止めている。図上の１１は縫製糸である。消費者は、縫製糸を解く必要がなく、実施例１と同様に、後身頃の端７ａに沿ってタブ６ａを切れば良く、誤って身頃生地を切ってしまう恐れを極端に減らすことができる。【００１８】  図８〜図９は���考案の実施例３となる女性用の無縫製ショーツを図示したものである。図８は実施例３のショーツ１ｂの完成図である。実施例１、２との違いは、タブ６ｂに直接情報を印字しているため、別途タグを用意する必要性がないことである。図９は、実施例３のショーツ１ｂの展開図である。タブ６ｂの形状は、長方形でも、星形でも、円形でもよいが、本実施例では、ハート形状にした。身生地１ｂを裁断後、タブ６ｂの部分に、商品の情報を印字する。印字方法は、生地用のインクジェットプリントでも良いし、パッド印刷でもよい。組み立て方法などは、実施例１と同様である。【００１９】  図１０から図１２は本考案の実施例４となる女性用の無縫製ショーツを図示したものである。図１０は、実施例４のショーツ１ｃの展開図である。このショーツは、ウエスト部で、前身頃の上端１４と後身頃の上端１５が折り返して接着されており、ウエスト部に締め付け力を補填しているタイプである。この前身頃の折り返し部の一部に切り込み１３を入れ、貫通穴８ｃをあけて、タブ６ｃを形成する。前身頃の上端部１４と後身頃の上端部１５には、ホットメルト系の接着剤１２が、仮付けされている。タブ６ｃ以外の部分を肌側へ折り返し、加熱して接着し、ショーツ１ｃを作成すると、ショーツ１ｃのウエスト部は図１１のようになる。このタブ６ｃの貫通孔８ｃを使用して、タグを取り付ける。商品購入後は、タグを取り除き、タブ６ｃを肌側へ折り返して、アイロンを当てて前身頃に接着させる。この例では、前身頃の中央にタブ６ｃを形成したが、位置はどこでもよく、例えば、前身頃の端１０ｃと後身頃の端７ｃが、重なるところの後身頃側のウエスト部に位置してもよい。この場合、左右対称とするため、購入後は６ｃを、カットして取り除いて使用した方が良い。【００２０】  なお、上記に述べた実施例はショーツについて説明したが、本考案はショーツ以外の衣類にも適用することが可能であり、また、上述した実施例の記載により本考案は制限されず、本考案の技術思想の範囲内での設計変更も可能である。
【符号の説明】
【００２１】１、１ａ、１ｂ、１ｃ  ショーツ
２  身生地
３  股あて布
４、４ｃ  前身頃部
５、５ｃ  後身頃部
６、６ａ、６ｂ、６ｃ  タブ
７、７′、７ａ、７ｂ、７ｃ  接着される端面
８、８ｃ  貫通穴
９、９ａ、タグ
１０、１０′、１０ｃ  前身頃  端面
１１  縫製糸
１２  折り返し部
１３  スリット
【図１】
0003234390.tif 000003
【図２】
0003234390.tif 000004
【図３】
0003234390.tif 000005
【図４】
0003234390.tif 000006
【図５】
0003234390.tif 000007
【図６】
0003234390.tif 000008
【図７】
0003234390.tif 000009
【図８】
0003234390.tif 000010
【図９】
0003234390.tif 000011
【図１０】
0003234390.tif 000012
【図１１】
0003234390.tif 000013
【図１２】
0003234390.tif 000014